(57)【要約】【課題】  照明取付枠の高さ調節が容易な植物栽培ラックを提供する。【解決手段】  棚と、照明取付枠とを備え、棚の下方に照明取付枠取付部を設けてあり、照明取付枠取付部は、棚の前後において、上下に複数設けてあり、照明取付枠の脱落を防止する付勢部材を有し、照明取付枠は、いずれかの照明取付枠取付部に架設してある。【選択図】      図１
2019187332.tif 000002
【特許請求の範囲】
【請求項１】
棚と、照明取付枠とを備え、棚の下方に照明取付枠取付部を設けてあり、照明取付枠取付部は、棚の前後において、上下に複数設けてあり、照明取付枠の脱落を防止する付勢部材を有し、照明取付枠は、いずれかの照明取付枠取付部に架設してあることを特徴とする植物栽培ラック。
【発明の詳細な説明】
【技術分野】
【０００１】
本発明は、植物工場等において用いられる植物栽培ラックに関する。
【背景技術】
【０００２】
近年、屋内で植物を育てる植物工場が普及している。植物工場において用いられる植物栽培ラックは、植物の成長段階に合わせて照明具の高さを調節することが必要である。特許文献１に示す従来の植物栽培ラックは、上下に複数の受けレールが設けてあり、受けレールが照明取付枠を摺動自在に支持していた。
【先行技術文献】
【特許文献】
【０００３】
【特許文献１】特開２０１５−６１６５号公報
【発明の概要】
【発明が解決しようとする課題】
【０００４】
しかし、このような植物栽培ラックは照明具の高さ調節を行う際、照明取付枠を棚から完全に取り出した後、異なる高さの受けレールへ載せる必要があったため、作業負担が大きかった。本発明は上記事情を鑑み、照明取付枠の高さ調節が容易な植物栽培ラックを提供することを目的とする。
【課題を解決するための手段】
【０００５】
本発明の植物栽培ラックは、棚と、照明取付枠とを備え、棚の下方に照明取付枠取付部を設けてあり、照明取付枠取付部は、棚の前後において、上下に複数設けてあり、照明取付枠の脱落を防止する付勢部材を有し、照明取付枠は、いずれかの照明取付枠取付部に架設してあることを特徴とする。
【発明の効果】
【０００６】
本発明によれば、照明取付枠取付部は、棚の前後において、上下に複数設けてあり、照明取付枠の脱落を防止する付勢部材を有し、照明取付枠は、いずれかの照明取付枠取付部に架設してあるため、照明取付枠取付部の付勢部材の力を利用して、一人でも容易に照明取付枠の高さを調節することができる。
【図面の簡単な説明】
【０００７】
【図１】植物栽培ラックの側面図である。
【図２】植物栽培ラックの正面図である。
【図３】（ａ）は植物栽培ラックの平面図であり、（ｂ）はＢＣ部分拡大図である。
【図４】（ａ）は図１のＡ部分拡大図、（ｂ）は照明取付具の側面図、（ｃ）は照明取付具のＤ−Ｄ線断面図である。
【図５】（ａ）（ｂ）は照明取付具の位置決め部を説明する側面図である。
【図６】（ａ）は照明取付具の取り付けを説明する斜視図、（ｂ）は要部の拡大図である。
【図７】照明取付枠を示し、（ａ）は斜視図、（ｂ）は正面図、（ｃ）は側面図である。
【図８】（ａ）〜（ｇ）は照明取付枠の高さ調節作業の手順を示す説明図である。
【発明を実施するための形態】
【０００８】
以下、本発明の実施の形態を図面に基づいて説明する。この植物栽培ラックは、左右方向の寸法が前後方向の寸法より長い植物栽培ラックであって、図１乃至図３に示すように、柱材１と棚２からなるラックに照明取付具３を設けて照明取付枠４を取り付けたものである。照明取付枠４は、照明取付具３の上下に複数設けた照明取付枠取付部３３のいずれかに架設することにより、高さ調節可能である。
【０００９】
柱材１は、断面略矩形であって、前後方向に間隔をおいて配置される柱対が左右方向に少なくとも二対配置してある。本実施形態では左右に三対、即ち六本の柱材１が配置されている。
【００１０】
棚２は、左右に延びる横材２ａと前後に延びる桟材２ｂから構成され、横材２ａと桟材２ｂの連結部において柱材１に連結してある。横材２ａは図１、図４及び図５に示すように、断面略コ字形であり、開口を対向させて前後に配置されている。桟材２ｂは断面略矩形であり、端部を横材２ａの開口に嵌め込んで左右に配置される。このように構成される棚２は、柱材１の上端部から間隔をおいて上下に複数設けてある。本実施形態では、最上段を含め計五段の棚２が柱材１に連結してある。最上段の棚２を除く各段の棚２には、上面に栽培トレイ５を載置してあり、この栽培トレイ５の上で植物を栽培する。また、最下段の棚２を除く各段の棚２の下方には、照明取付具３を設けてある。なお、最上段と最下段における棚２には、それ以外の段の棚２よりも太い横材２ａと桟材２ｂを用いてある。
【００１１】
照明取付具３は、図１乃至図３及び図６に示すように、最下段を除く棚２の各横材２ａに固定してある。前後一対の照明取付具３，３が、照明取付枠取付部３３を棚２の内側へ向けて対向して配置されるとともに、左右の柱材１，１の間に二対の照明取付具３が配置されることにより、計四つの照明取付具３がひとつの照明取付枠４を支持する。照明取付具３は、基部３１と横材固定部３２と複数の照明取付枠取付部３３と付勢部材３４からなる。図４乃至図６に示すように、縦長矩形板状の基部３１の上部が横材２ａの見付面へ取り付けるための取付片３１ａとなっている。取付片３１ａの下方からは、棚２の内側に横材固定部３２が延びている。横材固定部３２には、横材２ａの寸法に合わせて二つの位置決め部３２ａ，３２ｂが設けてある。図５（ａ）に示すように、寸法の大きい横材２ａに合わせて設けた位置決め部３２ａは、横材固定部３２の端部に位置し、端部から上方に立設している。図５（ｂ）に示すように、寸法の小さい横材２ａに合わせて設けた位置決め部３２ｂは、横材固定部３２の前後方向略中間部に位置し、端部側が一段高くなるよう横材固定部３２を折り曲げて形成された段差部分である。横材固定部３２の下方には、基部３１から棚２の内側に延びる照明取付枠取付部３３が上下に複数形成してある。照明取付枠取付部３３の端部には係合部３３ａが形成してある。係合部３３ａは照明取付枠取付部３３の端部から上方に立設し、先端に基部３１側へ向けて膨出する爪部が設けてある。また、照明取付枠取付部３３の上面には、基部３１から間隔をあけて立設する付勢部材取付壁３５が形成してあり、付勢部材取付壁３５と係合部３３ａとの間に付勢部材３４が配置してある。
【００１２】
付勢部材３４は、照明取付具３の各照明取付枠取付部３３に取り付けて照明取付枠４の脱落を防止するものであり、本実施形態では板ばねを採用している。付勢部材３４は、平面視すると図４（ｃ）に示すような略Ｓ字形状であって、規制片３４ａと取付部３４ｂと変形部３４ｃが形成してある。図３（ｂ）に示すように付勢部材３４は、規制片３４ａが照明取付枠４の左右端部側に、変形部３４ｃが照明取付枠４の左右中央側に向くよう配置される。規制片３４ａは、取付部３４ｂから棚２の内側へ向かって延びており、照明取付枠４の左右方向の位置を規制する。規制片３４ａより照明取付枠４の左右中央側には、付勢部材取付壁３５に沿って取付部３４ｂがネジ止めされている。取付部３４ｂから照明取付枠４の左右中央側には、棚２の内側へ向かって山形に屈曲した変形部３４ｃが形成してある。変形部３４ｃは、照明取付枠４の被係合部４２ａが当接すると変形して付勢力を備え、棚２の内側へ向かって被係合部４２ａを押圧する。
【００１３】
照明取付枠４は、図７に示すように、前後に延びる縦枠材４１と左右に延びる横枠材４２によって枠組みされており、横枠材４２，４２の間には左右に延びる桟材４３が縦枠材４１，４１へ架設され、横枠材４２，４２と桟材４３に照明具６が固定されている。縦枠材４１は、断面略コ字形であって、開口を対向させて左右に配置されている。横枠材４２と桟材４３は、断面矩形の中空材であって、端部を縦枠材４１の開口に嵌め込んであり、横枠材４２，４２は前後に配置してある。横枠材４２は、上面が前後外側に延出させてあり、その端部を垂下させた被係合部４２ａが形成してある。照明取付枠４は、この被係合部４２ａを係合部３３ａに係合させるとともに、被係合部４２ａが付勢部材３４に押圧されることによって、前後方向への位置ずれと照明取付枠取付部３３からの脱落が防止される。また、横枠材４２の下面には、照明具６が左右に複数固定してある。照明具６として、例えば直管状のＬＥＤ等が用いられ、長手方向を前後方向として横枠材４２と桟材４３に固定してある。
【００１４】
次に、照明取付枠４の高さ調節を行う際の手順を図８に基づいて説明する。図８（ａ）では、照明取付枠４は図４（ａ）に示す拡大図と同じく、照明取付枠４は照明取付具３の最下段の照明取付枠取付部３３に架設してある。詳しくは、照明取付枠４の横枠材４２に設けた被係合部４２ａが照明取付具３の照明取付枠取付部３３に設けた係合部３３ａへ上方から係合しており、照明取付枠取付部３３に固定された付勢部材３４が付勢力によって被係合部４２ａを棚２の内側へ押圧している。
図８（ａ）の状態から高さ調節をする場合、作業者は植物栽培ラックの前側に立ち、照明取付枠４の前側の横枠材４２を把持し、前側の横枠材４２を少し上方に浮かせて照明取付枠取付部３３の係合部３３ａから被係合部４２ａを外し、矢印（１）のように照明取付枠４を付勢部材３４に抗して、後側に押し込む。次に、後側の横枠材４２を照明取付枠取付部３３によって支えた状態で、図８（ｂ）の矢印（２）のように、後側の横枠材４２を高さの異なる照明取付枠取付部３３へと移動させる。そして、図８（ｃ）の矢印（３）のように照明取付枠４を付勢部材３４の力を利用して前側へ引き寄せて前側の横枠材４２の係合部３３ａを照明取付枠取付部３３の奥へと移動させ、照明取付枠取付部３３の被係合部４２ａを横枠材４２の係合部３３ａに係合させる。次いで、作業者は植物栽培ラックの後側に回り、照明取付枠４の後側の横枠材４２を把持し、後側の横枠材４２を少し上方に浮かせて照明取付枠取付部３３の係合部３３ａから被係合部４２ａを外し、図８（ｄ）の矢印（４）のように照明取付枠４を付勢部材３４に抗して、前側に押し込む。そして、前側の横枠材４２を照明取付枠取付部３３によって支えた状態で、前側の横枠材４２を図８（ｅ）の矢印（５）のように、前側と同じ高さの照明取付枠取付部３３へ移動させ、図８（ｆ）の矢印（６）のように照明取付枠４を付勢部材３４の力を利用して後側に引くと、照明取付枠取付部３３の被係合部４２ａが横枠材４２の係合部３３ａに係合され、図８（ｇ）のように照明取付枠４の異なる高さの照明取付枠取付部３３への移動が完了する。
【００１５】
このように構成した植物栽培ラックによれば、照明取付枠取付部３３は、棚２の前後において上下に複数設けてあり、照明取付枠４の脱落を防止する付勢部材３４を有し、照明取付枠４は、いずれかの照明取付枠取付部３３に架設してあるため、照明取付枠取付部３３の付勢部材３４の力を利用して、異なる高さの照明取付枠取付部３３へ照明取付枠４をケンドンで移動させることが可能となる。照明取付枠取付部３３に照明取付枠４の前後一方の端部を預けた状態で、他方の端部を移動させることが可能であるため、一人でも容易に照明取付枠４の高さを調節することができる。
また、照明取付具３は横材２ａの寸法に応じた複数の位置決め部３２ａ，３２ｂが設けてあるため、寸法の異なる横材２ａの取り付けが容易である。
さらに、照明取付枠取付部３３には係合部３３ａが設けてあり、係合部３３ａは照明取付枠４に設けた被係合部４２ａに上方から係合する。高さ調節の作業中、照明取付枠４の前後いずれかの被係合部４２ａが係合部３３ａに係合され、付勢部材３４が照明取付枠４の被係合部４２ａを押圧するため、照明取付枠４の脱落を防止できる。
照明取付枠取付部３３に固定した付勢部材３４は、照明取付枠４の左右端部側に規制片３４ａを設けてある。この規制片３４ａによって照明取付枠４は左右に位置ずれすることなく、脱落が防止される。
【００１６】
本発明は、上記の実施形態に限定されない。例えば、付勢部材は必ずしも板バネである必要はなく、同様の作用効果を奏するものであればよい。また、高さ調節の手順は上記に限られない。照明取付枠の位置ずれを防ぐ規制材は、付勢部材に限らず、他の部材に設けてあってもよい。
【符号の説明】
【００１７】
１      柱材
２      棚
３      照明取付具
３２ａ  位置決め部
３２ｂ  位置決め部
３３    照明取付枠取付部
３３ａ  係合部
３４    付勢部材
４      照明取付枠
４２ａ  被係合部
【図１】
2019187332.tif 000003
【図２】
2019187332.tif 000004
【図３】
2019187332.tif 000005
【図４】
2019187332.tif 000006
【図５】
2019187332.tif 000007
【図６】
2019187332.tif 000008
【図７】
2019187332.tif 000009
【図８】
2019187332.tif 000010